(57)【要約】      （修正有）【課題】専用工具を用いず容易に取りつけられ、任意の固定具合に調整を可能とした弦楽器用のブリッジを提供する。【解決手段】ブリッジ１は、長手方向に複数のスロットが並べられた胴部と、胴部の長手方向の両端に設けられて胴部の上面と連続した平面の上面を有する第１延出部と、胴部の高さ方向に第１延出部と離間して設けられる第２延出部と、第１及び第２延出部を胴部の高さ方向に貫く貫通孔と、を備える延出部と、中心にネジ孔を有する円板状に形成され、第１延出部と第２延出部の間隙にネジ孔と貫通孔とが同軸となるように収容されるインナホイール１１と、複数のスロットのそれぞれに胴部の短手方向に位置の調整ができるよう収容され、弦が係止される複数のサドル１２とを備え、弦楽器本体に設けられネジ孔の雌ネジと螺合する雄ネジが設けられた支柱を貫通孔に通しつつ、インナホイールを支柱に螺合させることにより弦楽器に取り付けられる。【選択図】図２
0003221831.tif 000002
【実用新案登録請求の範囲】
【請求項１】
長手方向に複数のスロットが並べて設けられた胴部と、
前記胴部の長手方向の両端に設けられた延出部であって、
前記胴部の上面と連続した平面の上面を有する第１延出部と、
前記胴部の高さ方向において前記第１延出部と離間して設けられる第２延出部と、
前記第１延出部及び前記第２延出部を、前記胴部の高さ方向に貫く貫通孔と、
を備える延出部と、
中心にネジ孔を有する円板状に形成され、前記第１延出部と前記第２延出部の間隙に前記ネジ孔と前記貫通孔とが同軸となるように収容されるインナホイールと、
複数の前記スロットのそれぞれに前記胴部の短手方向に位置の調整ができるよう収容され、弦が係止される複数のサドルと
を備え、
弦楽器の本体に設けられ前記ネジ孔の雌ネジと螺合する雄ネジが設けられた支柱を前記貫通孔に通しつつ、前記インナホイールを前記支柱に螺合させることにより弦楽器に取り付けられることを特徴とするブリッジ。
【考案の詳細な説明】
【技術分野】
【０００１】
本考案は、弦楽器に機械的に固定することができるブリッジに関する。
【背景技術】
【０００２】
ギター等の弦楽器に用いられるブリッジは弦振動をギター本体に伝えるためのものであり、弦高やオクターブピッチ、弦のテンションを調整する機能を有している。
ギターブリッジは大きく分けると、ブリッジベースにサドルを載せただけのタイプ（ストラト・タイプのギターに用いられる。）、ブリッジとピックアップが一体化されているタイプ（テレキャス・タイプのギターに用いられる。）、及びチューンオーマチック（Tune-O-Matic type）・タイプ（レスポール・タイプのギターに用いられる。）がある。本考案は特に、チューンオーマチック・タイプのギターブリッジに関するものである。
【０００３】
チューンオーマチック・タイプのギターブリッジは、弦を固定する部分のストップ・テイルピースと弦の位置と高さを固定するブリッジ部分に分かれているのが一般的である。
【考案の概要】
【考案が解決しようとする課題】
【０００４】
従来のチューンオーマチック・タイプのブリッジでは、ギター本体に設置された支柱に弦高調整用のサムホイールを螺合させて適切な高さに位置させ、ブリッジをその両端に設けられた貫通孔に支柱を通しつつサムホイールの上に配置する。このときブリッジは弦の張力のみによってギター本体に固定されている。その結果、弦を緩めると、ブリッジを押さえつける力が無くなり、ブリッジが外れてしまう問題が生じる。特に、弦を張替える時には弦の張力がなくなるため、ブリッジが脱落するという事故が起きる可能性があった。またブリッジ下のサムホイールが動いてしまい、折角調整した弦高が、弦交換の度にずれてしまうことも多かった。
【０００５】
また、演奏時には、ブリッジの固定が不完全であるため、弦を弾いた時にサドルが振動してしまい、不要なノイズを発生させてしまう恐れがあった。この余計な共振により、そのギターが本来持っているサウンドや、サスティーンを損なう可能性があった。また、弦の張力だけで設置されている状態を好む演奏者にとっては、機械的にギターブリッジが固定されていないほうが望ましいが、ギターブリッジがギター本体に固定されている場合と、固定されていない場合の双方を使い分けることが可能なギターブリッジは一般的ではなかった。
【０００６】
そこでこれらの問題を解決するために、ギターブリッジの延出部の上部の貫通孔から専用のロック・キャップを設けることでギターブリッジをギター本体に固定する構造のものが発売されている。このような固定可能なギターブリッジは、ギター本体へブリッジを固定するために、専用工具が必要とされており、手軽に取り付けることができなかった。また、ギターの演奏者は、楽器の外観に対するこだわりが強いことが少なくなく、ブリッジを固定可能とするためにその外観が大きく変わることに抵抗感を持ち、固定可能なギターブリッジを採用しないこともあった。
【０００７】
本考案は、上記の問題点を解決し、例えばリテナー・スプリングがないＡＢＲ−１型のギターブリッジの外観に不必要な変更を加えることなく、専用工具を用いず、機械的に、ギター本体に固定することが可能なギターブリッジを提供することを目的とする。
【課題を解決するための手段】
【０００８】
上記の課題を解決すべく、本考案のギターブリッジは、長手方向に複数のスロットが並べて設けられた胴部と、胴部の長手方向の両端に設けられた延出部であって、胴部の上面と連続した平面の上面を有する第１延出部と、胴部の高さ方向において第１延出部と離間して設けられる第２延出部と、第１延出部及び第２延出部を、胴部の高さ方向に貫く貫通孔と、を備える延出部と、中心にネジ孔を有する円板状に形成され、第１延出部と第２延出部の間隙にネジ孔と貫通孔とが同軸となるように収容されるインナホイールと、複数のスロットのそれぞれに胴部の短手方向に位置の調整ができるよう収容され、弦が係止される複数のサドルとを備え、弦楽器の本体に設けられネジ孔の雌ネジと螺合する雄ネジが設けられた支柱を貫通孔に通しつつ、インナホイールを支柱に螺合させることにより弦楽器に取り付けられることを特徴とする。
【図面の簡単な説明】
【０００９】
【図１】本考案のブリッジが取り付けられたギターのボディ近傍の拡大図である。
【図２】本考案のブリッジの斜視図である。
【図３】本考案のブリッジにおけるブリッジベースの斜視図である。
【図４】本考案のブリッジに用いられるサドルの斜視図である。
【図５】本考案のブリッジにおけるインナホイールの斜視図である。
【考案を実施するための形態】
【００１０】
以下、本考案の実施形態を図面に基づいて説明する。なお、以下の説明では、同一の部材には同一の符号を付し、一度説明した部材については適宜その説明を省略する。
【００１１】
図１は、本考案に係るブリッジ１が取り付けられたギター２のボディ２０近傍の拡大図である。ギター２は、ボディ２０と、ボディ２０から延出するネック（不図示）と、ネックの遠端部に設けられるヘッド（不図示）を備える。ギター２には、ヘッドからボディ２０にかけて、６本の弦３が略平行に張られている。
【００１２】
各弦３は、一端がボディ２０に設けられるテイルピース２３に係止されることにより固定され、他端がヘッドに設けられたペグ（糸巻）に取り付けられる。図１に示すように、各弦３は、テイルピース２３の近傍に設けられたブリッジ１に係止されつつ、ボディ２０からヘッドまで、ネック上に略平行に張られることになる。ペグを回して各弦３の張力を調整することにより、音程を調整することができる。また、ブリッジ１を調節することでオクターブ調節（フレットや押弦に伴う音程のずれの補正）をすることができる。
【００１３】
図１に示すように、ボディ２０には、上述のテイルピース２３及びブリッジ１に加え、弦３の振動を電気信号として取り出すピックアップ２４が設けられる。ボディ２０はさらに、例えばピックガードや、ボリューム・コントロールなどの構成要素を備えてもよい。
【００１４】
ボディ２０におけるブリッジ１を取り付ける位置には、２本の支柱２１が突設される。支柱２１にはその全長にわたり雄ネジが切られている。各支柱２１には、支柱２１と螺合する孔を有する円盤状のサムホイール２２が、所望の高さまで螺入されて取り付けられる。サムホイール２２は、その取り付け位置でブリッジ１を支持する。サムホイールを回すことで、ブリッジ１全体の取り付け高さを調整することができ、これによってサドル１２で指示される弦３の位置を調整することが可能となる。
【００１５】
図２は、本考案のブリッジ１の斜視図である。ブリッジ１は、ブリッジベース１０と、インナホイール１１と、サドル１２と、を備える。図３は、ブリッジベース１０の斜視図である。ブリッジベース１０は、スチール、ブラス、ステンレス等の剛性の高い金属により形成される。ブリッジベース１０は、胴部１０１及び当該胴部１０１の両端にある延出部１０２を有する。
【００１６】
胴部１０１は、オクターブ調整をする際にサドル１２を弦３が張られた方向に沿って移動可能に保持する部位である。胴部１０１には、各弦３に対応するサドル１２を収容するスロット１０３が設けられ、各スロット１０３について、サドル１２が備える調整ネジを適切な位置に保持するための調整ネジ支持溝１０４及び調整ネジ支持孔１０５が設けられる。
【００１７】
図４は、本考案のブリッジ１に用いられるサドル１２の斜視図である。サドル１２は、ブリッジベース１０と同じ材質で形成される。なお、好みの音質を得るべく、サドルの材質を例えば、チタン、ブラス、ストリングセイバー、タスク、ナイロン等に変えてもよい。図３に示したように、サドル１２は、可動片１２１と、調整ネジ１２２と、ワッシャ１２３と、からなる。
【００１８】
可動片１２１は、ガイド部１２１ａと係止部１２１ｂを有する。ガイド部１２１ａは、胴部１０１に設けられたスロット１０３の幅と略同一の幅を有し、スロット１０３内に収容されるとともに、オクターブ調整の際にはスロット１０３内を摺動する。ガイド部１２１ａには調整ネジ１２２と螺合するネジ孔１２１ｃが設けられている。係止部１２１ｂは、ガイド部１２１ａより太く張り出しており、ガイド部１２１ａがスロット１０３に収容されたときにスロット１０３の縁部に係止される。ガイド部１２１ａは、係止部１２１ｂから連続する垂直面１２１ｄと、傾斜面１２１ｅとにより略三角形の断面を有する。
【００１９】
可動片１２１は、ワッシャ１２３を通した調整ネジ１２２が螺入された状態で、スロット１０３に取り付けられる。このとき、調整ネジ１２２の先端が調整ネジ支持孔１０５で支持され、ワッシャ１２３が調整ネジ支持溝１０４で支持されるとともに、スロットのない壁面でガイド部１２１ａがガイドされることにより、可動片１２１は、スロット１０３内に正しい姿勢で収容される。サドル１２を安定した姿勢で収容するために、スロット１０３には、ガイド部１２１ａとの間に必要以上の遊びがないほうが望ましい。なお、スロット１０３に収容される際、可動片１２１は向きを裏返して収容されることも可能である。このように裏返して収容すれば、オクターブ調整ができる範囲を広げることができる。
【００２０】
胴部１０１の長手方向に並んだ６つのスロット１０３は、ネックの丸みに合わせ、中央部のスロット１０３ほど高く、外側のスロット１０３ほど低く、サドル１２を支持する。サドル１２を支持する高さは、スロット１０３の脇に設けられる堀込部１０３ａにより規定される。中央部（ギターの３弦と４弦）のスロット１０３には堀込部１０３ａが設けられず、胴部１０１の上面がスロットの上縁となる。したがって、中央部のスロット１０３に収容されるサドルは、胴部１０１の上面に係止部１２１ｂの張り出した部分が係止される。一方、中央部以外のスロットについては、外側のスロットほど深い（つまり、１弦と６弦の方が２弦と５弦より深い）堀込部１０３ａが設けられ、堀込部１０３ａの底がスロットの上縁となる。したがって、中央部以外のスロット１０３に収容されるサドルは、堀込部１０３ａの底に係止部１２１ｂの張り出した部分が係止される。これにより、サドル１２は、丸みの頂点に位置する、ギターの３弦と４弦に対応する中央部を頂点に胴部１０１に設置することができる。
【００２１】
図３に示すように、延出部１０２は、第１延出部１０２ａと、第２延出部１０２ｂとを備える。第１延出部１０２ａは、その上面が胴部１０１の上面と連続した平面をなしている。第２延出部１０２ｂは、ブリッジ１の高さ方向において、第１延出部１０２ａと離間して設けられる。第１延出部１０２ａ及び第２延出部１０２ｂの厚さは、いずれも十分な剛性を有する程度の厚み（例えば１〜２ｍｍ程度）とするとよい。第１延出部１０２ａと第２延出部１０２ｂの間はスリット（切り欠き）１０２ｃとなっている。スリットの幅（すなわち、第１延出部１０２ａの下面と第２延出部１０２ｂの上面の距離）は、１〜２ｍｍ程度とするとよい。第１延出部１０２ａと第２延出部１０２ｂを上面から下面まで胴部１０１の高さ方向に貫くように、貫通孔１０２ｄが設けられる。
【００２２】
スリット１０２ｃには、貫通孔１０２ｄとネジ孔１１１とが同軸となるようにインナホイール１１が収容される。図５は、インナホイールの斜視図である。インナホイール１１は、円板状の部材であり、支柱２１と螺合するネジ孔１１１がその中心に設けられる。インナホイール１１の厚みは、第１延出部１０２ａと第２延出部１０２ｂの間隙よりも僅かに小さく形成される。インナホイール１１の側面には、滑り止めとして機能する凹凸であるローレット１１２が設けられる。インナホイール１１の外径は、スリット１０２ｃに収容されたときに、側面がわずかに延出部１０２からはみ出す程度とされる。これにより、ローレット１１２に指をかけてインナホイール１１を回すことが可能となるとともに、従来型のブリッジと比べた外観の変化を抑制することができる。また、インナホイール１１を締めるために、専用工具を必要とせず、容易に、滑ることなく、片手でインナホイールを回すことができる。
【００２３】
以上のように構成されるブリッジ１は、サドル１２をスロット１０３に取り付け、インナホイール１１をスリット１０２ｃに収めた状態で、ギター２のボディ２０に設けられた支柱２１を延出部１０２の貫通孔１０２ｄ及びインナホイール１１のネジ孔１１１に通すことでギター２に取り付けられる。このときインナホイール１１のネジ孔１１１を支柱２１のネジ山に螺合させ、支柱２１に予め螺合されているサムホイール２２に第２延出部１０２ｂの下面が当接して支持されるまで、インナホイール１１を螺入する。インナホイール１１を強く締め上げればブリッジ１はボディ２０に強固に固定することができる。これにより、ブリッジ１の固定が不完全であるために生じる余計な共振を防ぐことができる。また、弦振動を効果的にギター２本体に伝えることができる。余計な共振がないことで、そのギターが本来持っているサウンドや、サスティーンを十分に生かすことができる。また、機械的にブリッジ１がギター２本体に固定されることで、弦高調整、弦幅調整、弦のテンション調整等を正確に行うことができる。一方、インナホイール１１を、緩めに締めれば固定力は弱まり、従来のブリッジ１を使用する場合と同様、主に弦３の張力により固定される状態とすることもできる。このように、インナホイール１１の締め上げ具合を変化させることで、ブリッジ１がギター２本体に固定されている場合と、固定されていない場合の双方を使い分けることが可能となる。
【００２４】
このようにブリッジ１がギター２取り付けられた状態で、調整ネジ１２２を回すことで、サドル１２の可動片１２１の位置を弦が張られた方向（ブリッジ１の胴部１０の短手方向）に沿って前後に動かすことができ、これによりギター２の弦長調整（オクターブピッチの調整）が可能となる。このとき、可動片１２と、調整ネジ１２２の間にワッシャが設けられ、ワッシャ１２３がスロット１０３の調整ネジ支持溝１０４で指示されることにより、調整ネジ１２２をスムーズに回すことが可能になるとともに、調整ネジが緩むのを防ぐことができる。
【００２５】
なお、本考案は上記各実施形態に限定されるものではない。上記各実施形態は例示であり、本考案の実用新案登録請求の範囲に記載された技術的思想と実質的に同一な構成を有し、同様な作用効果を奏するものは、いかなるものであっても本考案の技術的範囲に包含される。たとえば、上記の実施形態ではチューンオーマチック・タイプのギターブリッジを例に説明したが、他のタイプのギターブリッジや、他の弦楽器（ベース等）におけるブリッジにも適用可能である。
【符号の説明】
【００２６】
１  ブリッジ
１０  ブリッジベース
１０１  胴部
１０２  延出部
１０２ａ  第１延出部
１０２ｂ  第２延出部
１０２ｃ  スリット
１０２ｄ  貫通孔
１０３  スロット
１０３ａ  堀込部
１０４  調整ネジ支持溝
１０５  調整ネジ支持孔
１１  インナホイール
１１１  ネジ孔
１１２  ローレット
１２  サドル
１２１  可動片
１２１ａ  ガイド部
１２１ｂ  係止部
１２１ｃ  ネジ孔
１２１ｄ  垂直面
１２１ｅ  傾斜面
１２２  調整ネジ
１２３  ワッシャ
２  ギター
２０  ボディ
２１  支柱
２２  サムホイール
２３  テイルピース
２４  ピックアップ
３  弦
【図１】
0003221831.tif 000003
【図２】
0003221831.tif 000004
【図３】
0003221831.tif 000005
【図４】
0003221831.tif 000006
【図５】
0003221831.tif 000007